(57)【特許請求の範囲】
【請求項１】
自動開閉扉に追加設置される、自動開閉扉の監視装置であって、
前記自動開閉扉の外側面またはその周辺に取り付けられる筐体と、
前記筐体内に設けられた少なくとも１つのセンサユニットであって、それぞれ前記自動開閉扉の異常の徴候を検知するためのセンサを有するセンサユニットと、
前記筐体内に設けられた処理ユニットであって、
前記センサそれぞれの検知情報を処理する処理部、および
前記処理部によって処理された検知情報を送信する通信部を有する処理ユニットとを備えた監視装置。
【請求項２】
請求項１に記載の監視装置において、
前記筐体は、前記自動開閉扉およびそれに付随する装置を取り外したり分解したりすることなく前記自動開閉扉の外側面またはその周辺に取り付けられるものである、監視装置。
【請求項３】
請求項１または２に記載の監視装置において、
前記自動開閉扉の支持部材には、前記自動開閉扉の開閉制御のために物体を検知する物体検出装置が支持されており、前記処理ユニットの前記処理部には、前記物体検出装置による物体検知情報が入力される、監視装置。
【請求項４】
請求項３に記載の監視装置において、
前記処理部は、前記センサユニットの前記センサそれぞれの検知情報を処理する際に、前記物体検知情報を使用する、監視装置。
【請求項５】
請求項１から４のいずれか一項に記載の監視装置において、
前記処理ユニットの前記処理部に、前記自動開閉扉のドアコントローラによる扉開閉情報が入力される、監視装置。
【請求項６】
請求項１から５のいずれか一項に記載の監視装置において、
前記センサが、加速度センサ、振動センサ、温度センサ、湿度センサ、音センサ、照度センサおよびジャイロセンサからなる一群から選ばれる、監視装置。
【請求項７】
自動開閉扉の開閉に用いられる物体検出装置によって実現された監視装置であって、
前記自動開閉扉の支持部材に支持される筐体と、
前記筐体内に設けられた物体検出センサであって、検知エリアの物体に応じた検知信号を発生させる物体検出センサと、
前記筐体内に設けられ、前記検知信号に基づいて物体を検出する物体検出処理ユニットであって、
前記物体検出センサが発生させた前記検知信号のレベルから物体を検出して物体検知情報を処理する物体検出処理部、
前記物体検出処理部が物体を検出すると前記自動開閉扉のドアコントローラに物体検知信号を出力する物体検知信号出力部、および
前記物体検出処理部によって処理された物体検知情報を送信する通信部を有する物体検出処理ユニットとを備え、
前記物体検出処理ユニットの前記物体検出処理部に、前記自動開閉扉のドアコントローラによる扉開閉情報が入力される、監視装置。
【請求項８】
自動開閉扉に追加設置される、自動開閉扉の監視装置であって、
前記自動開閉扉の外側面またはその周辺に取り付けられる筐体と、
前記筐体内に設けられた少なくとも１つのセンサユニットであって、それぞれセンサを有するセンサユニットと、
前記筐体内に設けられた処理ユニットであって、
前記センサそれぞれの検知情報を処理する処理部、および
前記処理部によって処理された検知情報を送信する通信部を有する処理ユニットとを備え、
前記処理ユニットの前記処理部に、前記自動開閉扉のドアコントローラによる扉開閉情報が入力される、監視装置。
【請求項９】
請求項５，請求項７または請求項８に記載の監視装置において、
前記扉開閉情報が、自動開閉扉の時系列での開放および閉鎖の状況を示す情報である、監視装置。
【請求項１０】
自動開閉扉に追加設置され、前記自動開閉扉を監視する監視装置であって、
前記自動開閉扉の外側面またはその周辺に取り付けられる筐体と、
検知情報を送信する通信部を有する処理ユニットとを備えた監視装置。
【請求項１１】
請求項１０に記載の監視装置において、さらに、
前記筐体内に設けられた少なくとも１つのセンサユニットであって、それぞれ前記自動開閉扉の異常の徴候を検知するためのセンサを有するセンサユニットと、
前記センサそれぞれの検知情報を処理する処理部とを備えた監視装置。
【請求項１２】
請求項１１に記載の監視装置において、
前記処理部が、前記自動開閉扉の運用状況の情報を処理する監視装置。
【発明の詳細な説明】
【技術分野】
【０００１】
本発明は、自動ドアや自動シャッタなどの自動開閉扉を監視する監視装置に関する。
【背景技術】
【０００２】
従来から、自動ドアのような自動開閉扉の異常の発生を直ちに検知したり、異常の発生を予測したりするために、自動開閉扉には様々なセンサが取り付けられている。そして、これらセンサによる検知情報を管理センタにおいて遠隔監視するものがある（特許文献１）。この構成によれば、遠隔監視を行うことで、異常の発生を早期に予測することができる上に、自動開閉扉の保守に要する費用を低減できる。
【０００３】
このような提案があるものの、設置済の自動開閉扉は、一般的に、現場での監視にとどまり、管理センタでの遠隔監視までは行われていない。また、設置済の自動開閉扉には、異常の発生の予測に必要なセンサによる監視さえも行われていないものがある。
【０００４】
そこで、異常の発生の予測に必要なセンサによる監視が行われていない設置済の自動開閉扉や、センサによる監視が行われていても遠隔監視が行われていない設置済の自動開閉扉を、遠隔監視の対象にすることが望まれる。
【先行技術文献】
【特許文献】
【０００５】
【特許文献１】特開２００４−０６８２８７号公報
【発明の概要】
【発明が解決しようとする課題】
【０００６】
しかし、上記特許文献１に記載の自動開閉扉では、センサが自動開閉扉本体に組み込まれている。これは、設置済の自動開閉扉を上記特許文献１が提案する遠隔監視の対象にすることが困難であることを意味する。
【０００７】
そこで、本発明は、設置済みの自動開閉扉であっても容易に遠隔監視の対象にできる、自動開閉扉の監視装置を提供することを目的とする。
【課題を解決するための手段】
【０００８】
上記目的を達成するために、本発明の一構成に係る自動開閉扉の監視装置は、
自動開閉扉の外側面またはその周辺に取り付けられる筐体と、
前記筐体内に設けられた少なくとも１つのセンサユニットであって、それぞれセンサを有するセンサユニットと、
前記筐体内に設けられた処理ユニットであって、
前記センサそれぞれの検知情報を処理する処理部、および
前記処理部によって処理された検知情報を送信する通信部を有する処理ユニットとを備える。
【０００９】
ここで、「自動開閉扉」とは、ドアコントローラによって制御されて自動で開閉する扉のことである。自動開閉扉は、例えば自動ドアや自動シャッタである。
【００１０】
この構成によれば、内部にセンサユニットが設けられ、自動開閉扉の外側面またはその周辺に取り付けられる筐体を監視装置が備えるため、設置済みの自動開閉扉にこの監視装置を追加設置できる。つまり、運用中にセンサによる監視を行っていなかった自動開閉扉を、容易に監視の対象にすることができる。特に、検知情報を送信する通信部を処理ユニットが有するため、自動開閉扉を遠隔監視の対象にすることができる。
【００１１】
好ましい実施形態において、前記自動開閉扉の支持部材には、前記自動開閉扉の開閉制御のために物体を検知する物体検出装置が支持されており、前記処理ユニットの前記処理部には、前記物体検出装置による物体検知情報が入力される。この構成によれば、物体検知情報も通信部から外部装置に送信可能となる。そのため、管理サーバなどで物体検知情報つまり物体検知の履歴を蓄積できる。
【００１２】
さらに好ましい実施形態において、前記処理部は、前記センサユニットの前記センサそれぞれの検知情報を処理する際に、前記物体検知情報を使用する。この構成によれば、センサの検知情報を処理する際に、物体検知情報が使用されるため、センサ検知情報の処理において、物体検知情報に基づいて推定される自動開閉扉の動作を考慮することができる。そのため、自動開閉扉の動作に起因した変化がセンサ検知信号に現れても、この変化に基づいて異常発生と判定されることはない。したがって、異常の誤検知が防止される。
【００１３】
好ましい実施形態において、前記処理ユニットの前記処理部に、前記自動開閉扉のドアコントローラによる扉開閉情報が入力される。この構成によれば、物体検知情報も通信部から外部装置に送信可能となる。そのため、管理サーバなどで扉開閉情報つまり自動扉の開閉の履歴を蓄積できる。
【００１４】
好ましくは、前記センサが、加速度センサ、振動センサ、温度センサ、湿度センサ、音センサ、照度センサおよびジャイロセンサからなる一群から選ばれる。
【００１５】
本発明の一構成に係る物体検出装置は、自動開閉扉の開閉に用いられる物体検出装置によって実現された監視装置であって、
前記自動開閉扉の支持部材に支持される筐体と、
前記筐体内に設けられた物体検出センサであって、検知エリアの物体に応じた検知信号を発生させる物体検出センサと、
前記筐体内に設けられ、前記検知信号に基づいて物体を検出する物体検出処理ユニットであって、
前記物体検出センサが発生させた前記検知信号のレベルから物体を検出して物体検知情報を処理する物体検出処理部、
前記物体検出処理部が物体を検出すると前記自動開閉扉のドアコントローラに物体検知信号を出力する物体検知信号出力部、および
前記物体検出処理部によって処理された物体検知情報を送信する通信部を有する物体検出処理ユニットとを備える。
【００１６】
この構成によれば、内部に物体検出処理ユニットが設けられ、自動開閉扉の支持部材に支持される筐体を、物体検出装置によって実現された監視装置が備えるため、この監視装置を容易に設置できる。そして、物体検知情報を送信する通信部を物体検出処理ユニットが有するため、自動開閉扉を遠隔監視の対象にすることができる。
【００１７】
好ましい実施形態において、前記物体検出処理ユニットの前記物体検出処理部に、前記自動開閉扉のドアコントローラによる扉開閉情報が入力される。この構成によれば、物体検知情報も通信部から外部装置に送信可能となる。そのため、管理サーバなどで扉開閉情報つまり自動扉の開閉の履歴を蓄積できる。
【図面の簡単な説明】
【００１８】
【図１】本発明の第１の実施形態に係る、自動開閉扉の監視装置を示す図であって、（ａ）は当該監視装置の斜視図であり、（ｂ）は当該監視装置が取り付けられた自動開閉扉の正面図である。
【図２】本発明の第１の実施形態に係る、自動開閉扉の監視装置を含む監視システムのブロック図である。
【図３】本発明の第２の実施形態に係る、自動開閉扉の監視装置を含む監視システムのブロック図である。
【図４】図３の監視装置が取り付けられた自動開閉扉の正面図である。
【図５】本発明の第３の実施形態に係る、自動開閉扉の監視装置が取り付けられた自動開閉扉の正面図である。
【図６】図５の監視装置を含む監視システムのブロック図である。
【発明を実施するための形態】
【００１９】
以下、本発明の第１の実施形態に係る、自動開閉扉の監視装置について図面に基づいて説明する。
図１（ａ）に示すように、本監視装置１は略直方体形状の筐体２を有する。筐体２内には、少なくとも１つのセンサユニット３（図示ではセンサユニット３は２つ）および処理ユニット４が配置されている。監視装置１のこれら構成要素の詳細については後述する。
【００２０】
筐体２は、第１の面２１と、この第１の面に背向する第２の面２３とを有する。第１の面２１には、板状の磁石５０が貼着されている。
【００２１】
図１（ｂ）に示すように、筐体２は、スライド式の自動ドア３０の外側面の上部分の一箇所３１に取り付けられる。自動ドア３０が磁石を吸着する材料を含む場合には、上記箇所３１に直接に監視装置１の磁石５０が吸着される。そうでない場合には、当該箇所３１に磁石を吸着するマグネットシート（図示せず）が貼着され、そのマグネットシートに監視装置１の磁石５０が吸着される。
【００２２】
自動ドア３０は、その上端部が無目（支持部材）３３によって支持されている。この無目３３の外側面には、物体検出装置６０が取り付けられている。物体検出装置６０は、例えば能動型物体検出センサ６１と、プロセッサ（図示せず）およびメモリ（図示せず）を有する物体検出処理ユニット６２とを含む。能動型物体検出センサ６１は、検出エリアに向けて送信器から赤外線のような物体検出用の検知線を送信して、受信器により物体で反射した検知線を受けて受信信号を発生させる。物体検出処理ユニット６２は、この受信信号が設定レベルを超えることにより人体のような物体を検出する。この物体検出装置６０の物体検知情報に基づいて、ドアコントローラ７０が自動ドア３０を制御する。
【００２３】
図２に示すように、監視装置１は、後述する外部装置５と共に、監視システム１００に含まれる。監視装置１は、複数のセンサユニット３、および処理ユニット４を備える。センサユニット３はそれぞれ、１つのセンサ３ａおよび１つの通信部３ｂを有する。処理ユニット４は、内部通信部４１、処理部４２、記憶部４３および外部通信部４４を有する。
【００２４】
各センサユニット３のセンサ３ａとしては、例えば、加速度センサ、振動センサ、温度センサ、湿度センサ、音センサ、照度センサおよびジャイロセンサなどが挙げられる。ただし、各センサ３ａの種類は異なる。そのため、監視装置１は、センサユニット３の数に等しい種類のセンサを有する。
【００２５】
センサ３ａが加速度センサまたは振動センサの場合、センサ３ａの検知情報に基づいて、自動ドア３０の開閉時間の測定、自動ドア３０の駆動機構であるモータ（図示せず）やベルト（図示せず）などの劣化による異常振動の検知、ならびに自動ドア３０の物体への衝突の検知が可能となる。
【００２６】
センサ３ａの検知情報の処理の際には、物体検出装置６０による物体検知情報が使用される。例えば、物体検出装置６０が物体を検知した場合にのみ自動ドア３０の開閉が行われていると判定して、その場合にのみ自動ドア３０の開閉時間を測定してもよい。その一方、物体検出装置６０が物体を検知していないにも関わらず振動が検知されれば、異常振動が発生していると判定される。
【００２７】
センサ３ａが温度センサの場合、センサ３ａの検知情報に基づいて、季節ごとのドア運用（例えば、自動ドア３０が、夏には全開されるのに対して冬には半開に留める運用）の自動設定、物体検出装置６０の能動型物体検出センサの誤検知を防止するための雪モードのような非通常モードへの自動切替え、ならびに自動ドア３０の駆動機構であるモータ（図示せず）やベルト（図示せず）などの摩擦による、それら付近における発熱異常の検知が可能となる。
【００２８】
センサ３ａが湿度センサの場合、物体検出装置６０の能動型物体検出センサ６１の誤検知を防止するための雨モードのような非通常モードへの自動切替えが可能となる。
【００２９】
センサ３ａが音センサの場合、自動ドア３０の摩擦によって発生する音から異常の検知が可能となる。
【００３０】
センサ３ａが照度センサの場合、自動ドア３０が設けられた建物への夜間における不正侵入などの検知が可能となる。
【００３１】
センサ３ａが加速度センサまたは振動センサ以外の場合であっても、好ましくは、センサ３ａの検知情報の処理の際には物体検出装置６０による物体検知情報が使用される。自動ドア３０が、開状態、閉状態または開閉移行状態のいずれの状態であるかに応じて、センサ３ａの検知情報は変わり得る。したがって、自動ドア３０がいかなる状態にあるかを考慮してセンサ３ａの検知情報を処理することは有意である。
【００３２】
各センサユニット３の通信部３ｂと、処理ユニット４の内部通信部４１とは、好ましくは有線で、所定の通信プロトコルによってデータを送受信する。これにより、各センサ３ａの検知情報が処理ユニット４に入力される。処理ユニット４の内部通信部４１は、また、物体検出装置６０との間で、有線または無線により所定のプロトコルに従ってデータを送受信する。これにより、物体検出装置６０からの物体検知情報が処理ユニット４に入力される。
【００３３】
処理ユニット４に入力される各検知情報は、処理部４２を介して記憶部４３に蓄積される。そして、蓄積された検知情報は処理部４２で処理されて外部通信部４４を介して処理ユニット４から送出される。
【００３４】
外部通信部４４は、無線によりインターネットのようなネットワークと通信するための通信機能を備える。この外部通信部４４の通信相手は、管理サーバおよび／または操作端末からなる外部装置５である。管理サーバは、ウェブサーバからなり、複数の監視装置１から情報を取得して、複数の自動ドア３０の遠隔監視を一括して行う。外部通信部４４は、定期的に管理サーバにセンサ３ａによる検知情報および／または物体検出装置６０による物体検知情報を送信してもよい。これにより、管理サーバには、センサ３ａによる検知および／または物体検出装置６０による物体検知の履歴が蓄積される。操作端末は、専用のアプリケーションがインストールされた、いわゆるスマートフォンやコンピュータからなる。操作端末は、操作者が操作し、記憶部４３に蓄積された検知情報を抽出する。これら管理サーバおよび操作端末によって、自動ドア３０の維持管理が容易になる。
【００３５】
上述のように、処理ユニット４に入力される検知情報は記憶部４３に記憶される。しかし、この検知情報に、異常を明らかに示す情報が存在すると処理部４２が判断すると、処理部４２は、直ちに異常の発生を管理サーバに報知する。
【００３６】
次に、再度図１（ｂ）を参照して本実施形態に係る監視装置１の取付けについて説明する。
ここで、監視装置１が取り付けられる前の自動ドア３０には、自動ドア３０の運用状況や異常の徴候などを検知できるセンサが一切取り付けられていないとする。ただし、物体検出装置６０が無目３３に取り付けられており、ドアコントローラ７０によって自動ドア３０の開閉は制御されて自動ドア３０は稼動している。自動ドア３０は監視されておらず、異常の徴候が捉えられないため、突然に異常が発生する可能性が高い。
【００３７】
このような自動ドア３０に対して、作業者は、磁石を吸着できる自動ドア３０の一箇所３１に、監視装置１の磁石５０を接触させることで取り付ける。この後、作業者は、監視装置１の図示しない電源ボタンを操作して、監視装置１を動作させる。監視装置１が動作すると、図２の各センサユニット３のセンサ３ａがそれぞれ検知を行う。そして、処理部４２が検知情報を処理し、検知情報を記憶部４３に記憶する。処理部４２は、検知情報が異常を明らかに示す場合には、外部通信部４４を介して、外部装置５である管理サーバに異常を報知する。処理部４２は、また、記憶部４３に記憶した検知情報を定期的に管理サーバに送信する。これに加えて、操作端末を携帯した操作者が記憶部４３に蓄積された検知情報から所望の情報を抽出することができる。
【００３８】
以上説明したように監視装置１の筐体２が自動ドア３０またはその周辺に容易に取り付けられることで、自動ドア３０の維持管理が極めて容易になる。すなわち、監視装置１が取得する検知情報に基づいて、異常の徴候が捉えられて、突然に異常が発生することをほぼ防止することができる。また、筐体２を自動ドアに取り付けるだけで、設置済の自動ドアであっても容易に監視の対象にすることができる。
【００３９】
ただし、筐体２は、自動ドア３０に取り付けられる必要はなく、自動ドアに関して必要な検知を行うことができるのであれば、自動ドア３０の周辺に取り付けられてもよい。
【００４０】
また、筐体２は、磁石５０以外の手段によって自動ドア３０に取り付けられてもよい。例えば、磁石の代わりに両面テープやビス止めによって筐体２が自動ドア３０またはその周辺に取り付けられてもよい。すなわち、自動ドア３０およびそれに付随する装置（ドアコントローラ７０など）を取り外したり分解したりすることなく容易に取り付けられる手段によって筐体２を自動ドア３０に取り付けるのが好ましい。
【００４１】
次に、本発明の第２の実施形態に係る、自動開閉扉の監視装置について説明する。なお、本実施形態において、第１の実施形態に関して説明した構成要素と共通する構成要素については、同一の参照符号を付して説明を省略する。
【００４２】
図３に示すように、本発明の第２の実施形態に係る監視装置１Ａは、後述する外部装置５と共に、監視システム１００Ａに含まれる。本監視装置１Ａが第１の実施形態に係る監視装置と異なる点は、処理ユニット４の内部通信部４１が、ドアコントローラ７０との間で、有線または無線により所定のプロトコルに従ってデータを送受信する。これにより、ドアコントローラ７０からの扉開閉情報が処理ユニット４に入力される。このため、記憶部４３には、扉開閉情報も蓄積される。なお、扉開閉情報は自動ドア３０の時系列での開放および閉鎖の状況を示す情報である。
【００４３】
このようにして、本実施形態においては、記憶部４３に、センサ検知情報、物体検知情報および扉開閉情報が蓄積される。そして、蓄積されたこれら情報は処理部４２で処理されて外部通信部４４を介して処理ユニット４から送出される。外部装置５である管理サーバでは、扉開閉情報も取得できるため、自動ドア３０の運用状況も監視することができる。
【００４４】
次に、図４を参照して本実施形態に係る監視装置１Ａの取付けについて説明する。
【００４５】
ここで、監視装置１Ａが取り付けられるよりも以前の自動ドア３０には、物体検出装置６０に加えて加速度センサ７１が取り付けられているとする。具体的には、物体検出装置６０は無目３３に取り付けられており、ドアコントローラ７０によって自動ドア３０の開閉は制御されて自動ドア３０は稼動している。自動ドア３０の稼動中、ドアコントローラ７０に設けられた加速度センサ７１も検知を実行しており、この加速度センサ７１の検知情報は、ドアコントローラ７０内の記憶装置（図示せず）に蓄積されている。この検知情報は、自動ドア３０の点検時や異常が発生した後に精査される。しかし、検知情報がリアルタイムで処理されるわけではないため、異常の徴候は捉え難く、突然に異常が発生する可能性が存在する。
【００４６】
このような自動ドア３０に対して、第１の実施形態と同様に、監視装置１Ａを取り付けて動作させる。これにより、加速度センサ７１の検知情報が監視装置１Ａに、例えば定期的に提供される。そのため、監視装置１Ａの処理ユニット４で異常の徴候が捉えられて、突然に異常が発生することをほぼ防止することができる。なお、監視装置１Ａを取り付けると、同一種類のセンサ（本例では加速度センサ）が２つ自動ドア３０に取り付けられることになる場合がある。しかし、これらセンサは自動ドアの同一箇所に配置されるわけではないため、元々取り付けられていたセンサ７１の検知情報も役に立ち得る。
【００４７】
第１および第２の実施形態において、センサは、加速度センサ、振動センサ、温度センサ、湿度センサ、音センサまたは照度センサに限らず、自動開閉扉の監視に有用なものであればいかなるセンサであってもよい。
【００４８】
次に、本発明の第３の実施形態に係る、自動開閉扉の監視装置について説明する。なお、本実施形態において、第１および第２の実施形態に関して説明した構成要素と共通する構成要素については、同一の参照符号を付して説明を省略する。
【００４９】
図５に示すように、本実施形態に係る監視装置１Ｂは、物体検出装置６０Ａによって実現されている。物体検出装置６０Ａは無目３３の外側面に取り付けられている。
【００５０】
図６に示すように、物体検出装置６０Ａによって実現される監視装置１Ｂは、検出エリアに向けて物体検出用の検知線を送信して、物体で反射した検知線を受けて受信信号を発生させる物体検出センサ６１と、前記受信信号が設定レベルを超えることにより物体を検出する物体検出処理ユニット６４とを備える。物体検出センサ６１は、例えば能動型赤外線方式（ＡＩＲ）センサである。物体検出センサ６１は、検出エリアに向けて赤外線のような物体検出用の検知線を送信する投光部６１ａと、検出エリア内の物体で反射した検知線を受信して受信信号を発生させる受光部６１ｂとを有する。
【００５１】
物体検出処理ユニット６４は、内部通信部４１、物体検出処理部６４ａ、記憶部４３および外部通信部４４を有する。内部通信部４１は、物体検出センサ６１とデータを送受信する。内部通信部４１は、また、ドアコントローラ７０との間でデータを送受信する。物体検出処理部６４ａは、物体検出センサ６１が発生させた受信信号が設定レベルを超えることにより物体を検出して物体検知信号を処理する。物体検出装置６０Ａは、また、物体検出処理部６４ａが物体を検出すると自動開閉扉３０のドアコントローラ７０に内部通信部４１を介して物体検知信号を出力する物体検知信号出力部６３を有する。
【００５２】
次に、本実施形態に係る監視装置１Ｂの動作について説明する。
監視システム１００Ｂの運用中、つまり自動ドア３０の稼動中においては、物体検出センサ６１の投光部６１ａが検知線である赤外線を投光して、物体検出センサ６１の受光部６１ｂが赤外線を受光して受信信号を発生させる。受信信号が設定レベルを超えることにより、物体検出処理部６４ａが物体を検出して物体検知信号を処理する。この物体検知信号から得られる物体検知情報が、記憶部４３に蓄積される。そして、蓄積された物体検知情報は、物体検出処理部６４ａで処理されて外部通信部４４を介して物体検出処理ユニット６４から送出される。
【００５３】
物体検知信号出力部６３が、処理部４２Ａが物体を検出すると自動開閉扉３０のドアコントローラ７０に内部通信部４１を介して物体検知信号を出力する。これにより、検知エリア内に物体が存在する場合には自動ドア３０が開放される。
【００５４】
本実施形態においても、第２の実施形態と同様に、物体検出処理ユニット６４の内部通信部４１が、ドアコントローラ７０との間でデータを送受信する。これにより、ドアコントローラ７０からの扉開閉情報が処理ユニット６４に入力される。このため、記憶部４３には、扉開閉情報も蓄積される。
【００５５】
このようにして、本実施形態においては、記憶部４３に、物体検知情報および扉開閉情報が蓄積される。そして、蓄積されたこれら情報は物体検出処理部６４ａで処理されて外部通信部４４を介して物体検出処理ユニット６４から送出される。外部装置５である管理サーバでは、物体検知情報と扉開閉情報を取得できるため、自動ドア３０が正常に動作していることを確認することができる。すなわち、物体検知と自動扉開閉の動作とは連動するべきであるが、連動していることをこの点を物体検知情報と扉開閉情報とを照合して確認できる。
【００５６】
本発明は、以上の実施形態に限定されるものでなく、本発明の要旨を逸脱しない範囲内で、種々の追加、変更または削除が可能である。
【００５７】
例えば、上記各実施形態では、物体検出ユニット６０の物体検出センサ６１として、ＡＩＲ（能動型赤外線）方式のセンサについて説明したが、これに限定されるものではない。物体検出センサは、この他に、ＴＯＦ（飛行時間計測）方式のセンサ、レーザセンサ、ＰＩＲ（受動型赤外線）方式のセンサ、またはＭＷ（マイクロウェーブ）センサなどであってもよい。また、これらに限定されるわけではなく、物体を検出できればいかなる方式のセンサであってもよい。
【符号の説明】
【００５８】
１              監視装置
２              筐体
３              センサユニット
４              処理ユニット
【図１】
0006705961.tif 000002
【図２】
0006705961.tif 000003
【図３】
0006705961.tif 000004
【図４】
0006705961.tif 000005
【図５】
0006705961.tif 000006
【図６】
0006705961.tif 000007